(57)【特許請求の範囲】
【請求項１】
受信機又は中継器から引出された感知器回線に火災感知器を接続すると共に終端に終端器を接続し、前記受信機又は中継器から電圧を変化させることで下り信号を送信し、前記火災感知器から電流を変化させることで上り信号を送信する火災報知設備に於いて、
前記受信機又は中継器に、前記火災感知器に送信する感知器下り信号とは異なる時間幅の終端呼出下り信号を前記終端器に送信し、前記終端器からの終端応答上り信号が得られた場合は正常、前記終端応答上り信号が得られない場合は断線と判断する断線監視部を設け、
前記終端器に、前記受信機又は中継器から送信された前記感知器下り信号では動作せず、前記終端呼出下り信号により動作して前記終端応答上り信号を送信する終端応答部を設け、
前記受信機又は中継器の断線監視部は、前記感知器下り信号の最大時間幅（Ｔ０）よりも長い時間幅（Ｔ１）をもつ終端呼出下り信号を一定周期毎に送信し、
前記終端器の終端応答部は、
前記下り信号の電圧変化が所定の遅延時間（Ｔｄ）継続したときに所定の電圧を出力する遅延回路と、
前記遅延回路で遅延出力された電圧を受けて所定時間（Ｔ２）後に動作し、前記感知器回線の電流を変化させて前記終端応答上り信号を送信する終端応答出力回路と、
を設け、
前記遅延時間（Ｔｄ）、所定時間（Ｔ２）及び終端応答上り信号の送信時間（Ｔ３）の合計時間を前記終端呼出下り信号の時間幅（Ｔ１）以下で且つ前記感知器下り信号の最大時間幅（Ｔ０）よりも長くなるように設定したことを特徴とする火災報知設備。
【請求項２】
受信機又は中継器から引出された感知器回線に火災感知器を接続すると共に終端に終端器を接続し、前記受信機又は中継器から電圧を変化させることで下り信号を送信し、前記火災感知器から電流を変化させることで上り信号を送信する火災報知設備に於いて、
前記受信機又は中継器に、前記火災感知器に送信する感知器下り信号とは異なる時間幅の終端呼出下り信号を前記終端器に送信し、前記終端器からの終端応答上り信号が得られた場合は正常、前記終端応答上り信号が得られない場合は断線と判断する断線監視部を設け、
前記終端器に、前記受信機又は中継器から送信された前記感知器下り信号では動作せず、前記終端呼出下り信号により動作して前記終端応答上り信号を送信する終端応答部を設け、
前記受信機又は中継器の断線監視部は、前記感知器下り信号の最大時間幅（Ｔ０）よりも長い時間幅（Ｔ１）をもつ終端呼出下り信号を一定周期毎に送信し、
前記終端器の終端応答部は、
前記下り信号の電圧変化が所定の遅延時間（Ｔｄ）継続したときに所定の電圧を出力する遅延回路と、
前記遅延回路で遅延出力された電圧を受けて動作し、所定のパワーオンリセット時間（Ｔ２）後に所定のウォッチドッグ監視時間（Ｔ３）に亘りリセット信号を出力するウォッチドック回路と、
前記ウォッチドッグ回路のリセット信号により前記感知器回線の電流を変化させて前記終端応答上り信号を送信する終端応答出力回路と、
を設け、
前記遅延時間（Ｔｄ）、パワーオンリセット時間（Ｔ２）及びウォッチドッグ監視時間（Ｔ３）の合計時間を前記終端呼出下り信号の時間幅（Ｔ１）以下で且つ前記感知器下り信号の最大時間幅（Ｔ０）よりも長くなるように設定したことを特徴とする火災報知設備。
【請求項３】
受信機又は中継器から引出された感知器回線に火災感知器を接続すると共に終端に終端器を接続し、前記受信機又は中継器から電圧を変化させることで下り信号を送信し、前記火災感知器から電流を変化させることで上り信号を送信する火災報知設備に於いて、
前記受信機又は中継器に、前記火災感知器に送信する感知器下り信号とは異なる時間幅の終端呼出下り信号を前記終端器に送信し、前記終端器からの終端応答上り信号が得られた場合は正常、前記終端応答上り信号が得られない場合は断線と判断する断線監視部を設け、
前記終端器に、前記受信機又は中継器から送信された前記感知器下り信号では動作せず、前記終端呼出下り信号により動作して前記終端応答上り信号を送信する終端応答部を設け、
前記受信機又は中継器の断線監視部は、前記感知器下り信号の最大時間幅（Ｔ０）よりも長い時間幅（Ｔ１）をもつ終端呼出下り信号を一定周期毎に送信し、
前記終端器の終端応答部は、
前記下り信号の電圧変化が所定の遅延時間（Ｔｄ）継続したときに所定の電圧を出力する遅延回路と、
前記遅延回路で遅延出力された電圧を受けて所定時間（Ｔ２）後に動作し、前記感知器回線の電流を変化させて前記終端応答上り信号を送信する終端応答出力回路と、
を設け、
前記遅延時間（Ｔｄ）と所定時間（Ｔ２）の合計時間を前記終端呼出下り信号の時間幅（Ｔ１）よりも長くなるように設定し、前記終端応答上り信号を前記終端呼出下り信号が停止した状態で送信することを特徴とする火災報知設備。
【請求項４】
受信機又は中継器から引出された感知器回線に火災感知器を接続すると共に終端に終端器を接続し、前記受信機又は中継器から電圧を変化させることで下り信号を送信し、前記火災感知器から電流を変化させることで上り信号を送信する火災報知設備に於いて、
前記受信機又は中継器に、前記火災感知器に送信する感知器下り信号とは異なる時間幅の終端呼出下り信号を前記終端器に送信し、前記終端器からの終端応答上り信号が得られた場合は正常、前記終端応答上り信号が得られない場合は断線と判断する断線監視部を設け、
前記終端器に、前記受信機又は中継器から送信された前記感知器下り信号では動作せず、前記終端呼出下り信号により動作して前記終端応答上り信号を送信する終端応答部を設け、
前記受信機又は中継器の断線監視部は、前記感知器下り信号の最大時間幅（Ｔ０）よりも長い時間幅（Ｔ１）をもつ終端呼出下り信号を一定周期毎に送信し、
前記終端器の終端応答部は、
前記下り信号の電圧変化が所定の遅延時間（Ｔｄ）継続したときに所定の電圧を出力する遅延回路と、
前記遅延回路で遅延出力された電圧を受けて動作し、所定のパワーオンリセット時間（Ｔ２）後に、所定のウォッチドッグ監視時間（Ｔ３）に亘りリセット信号を出力するウォッチドック回路と、
前記ウォッチドッグ回路のリセット信号により前記感知器回線の電流を変化させて前記終端応答上り信号を送信する終端応答出力回路と、
を設け、
前記遅延時間（Ｔｄ）とパワーオンリセット時間（Ｔ２）の合計時間を前記終端呼出下り信号の時間幅（Ｔ１）よりも長くなるように設定し、前記終端応答上り信号を前記終端呼出下り信号が停止した状態で送信することを特徴とする火災報知設備。
【請求項５】
請求項３又は４記載の火災報知設備に於いて、前記受信機又は中継器の断線監視部は、一定周期毎に送信されるコマンド信号に含まれるスタートパルス信号を前記終端呼出下り信号とし、
前記終端器の終端応答部は、前記受信機又は中継器から送信された前記コマンド信号のスタートパルス信号により動作し、前記スタートパルス直後の空きタイミングで、前記終端応答上り信号を送信することを特徴とする火災報知設備。
【発明の詳細な説明】
【技術分野】
【０００１】
本発明は、受信機又は中継器から火災感知器に下り信号を送信し、火災感知器から受信機又は中継器に上り信号を送信して火災を監視する火災報知設備に関する。
【背景技術】
【０００２】
従来、Ｐ型火災感知器として知られたオンオフ型の火災感知器を受信機又は中継器からの感知器回線に接続した火災報知設備にあっては、感知器回線の末端に終端抵抗または終端器を接続し、感知器回線に終端抵抗又は終端器のインピーダンスに依存して流れる固有の断線監視電流また断線監視電圧を受信機又は中継器で検出し、感知器回線が正常か断線かの判断を行っている。
【０００３】
またＰ型の火災報知設備について、受信機又は中継器から火災感知器に監視コマンド等の下り信号を電圧変化で送信し、火災感知器から受信機又は中継器にコマンド応答の上り信号を電流変化で送信して火災を監視する通信機能を備えた設備も実用化されている。
【特許文献１】特開平８−２４９５６０号公報
【特許文献２】特開２００４−９４３１４号公報
【発明の開示】
【発明が解決しようとする課題】
【０００４】
しかしながら、このような従来の断線監視にあっては、オンオフ型火災感知器での消費電流以外に終端抵抗又は終端器での消費電流が発生し、システムの電源容量として火災感知器の消費電流に終端抵抗又は終端器での消費電流を加えた分の電源容量が必要であり、回線が増えると電源部がその分大型化し、省電力化の足かせになっている。
【０００５】
また受信機又は中継器に対し通信機能を備えた火災感知器を接続する場合、火災感知器から送信する上り信号は感知器回線に流れる電流を変化させる電流信号であるため、終端抵抗又は終端器に常時流れている電流が通信を破壊する可能性がある。
【０００６】
このため終端抵抗又は終端器に流れる電流よりもより多くの電流を火災感知器は応答用の上り信号として流す必要があり、システム上の省電力化、機器の回路構成の簡素化を妨げる要因となっている。
【０００７】
本発明は、火災感知器からの通信を妨害することなく感知器回線の断線が監視できる省電力化とコスト低減を図る火災報知設備を提供することを目的とする。
【課題を解決するための手段】
【０００８】
この目的を達成するため本発明は次のように構成する。本発明は、受信機又は中継器から引出された感知器回線に火災感知器を接続すると共に終端に終端器を接続し、受信機又は中継器から電圧を変化させることで下り信号を送信し、火災感知器から電流を変化させることで上り信号を送信する火災報知設備を対象とする。
【０００９】
このような火災報知設備につき、本発明は、受信機又は中継器に、火災感知器に送信する感知器下り信号とは異なる時間幅の終端呼出下り信号を終端器に送信し、終端器からの終端応答上り信号が得られた場合は正常、終端応答上り信号が得られない場合は断線と判断する断線監視部を設け、
終端器に、受信機又は中継器から送信された感知器下り信号では動作せず、終端呼出下り信号により動作して終端応答上り信号を送信する終端応答部を設けたことを特徴とする。
【００１０】
ここで、受信機又は中継器の断線監視部は、感知器下り信号の最大時間幅（Ｔ０）よりも長い時間幅（Ｔ１）をもつ終端呼出下り信号を一定周期毎に送信し、
終端器の終端応答部は、
下り信号の電圧変化が所定の遅延時間（Ｔｄ）継続したときに所定の電圧を出力する遅延回路と、
遅延回路で遅延出力された電圧を受けて所定時間（Ｔ２）後に動作し、感知器回線の電流を変化させて終端応答上り信号を送信する終端応答出力回路と、
を設け、遅延時間（Ｔｄ）、所定時間（Ｔ２）及び終端応答上り信号の送信時間（Ｔ３）の合計時間を、終端呼出下り信号の時間幅（Ｔ１）以下で且つ感知器下り信号の最大時間幅（Ｔ０）よりも長くなるように設定する。
【００１１】
または、受信機又は中継器の断線監視部は、感知器下り信号の最大時間幅（Ｔ０）よりも長い時間幅（Ｔ１）をもつ終端呼出下り信号を一定周期毎に送信し、
終端器の終端応答部は、
下り信号の電圧変化が所定の遅延時間（Ｔｄ）継続したときに所定の電圧を出力する遅延回路と、
遅延回路で遅延出力された電圧を受けて動作し、所定のパワーオンリセット時間（Ｔ２）後に所定のウォッチドッグ監視時間（Ｔ３）に亘りリセット信号を出力するウォッチドック回路と、
ウォッチドッグ回路のリセット信号により感知器回線の電流を変化させて終端応答上り信号を送信する終端応答出力回路と、
を設け、遅延時間（Ｔｄ）、パワーオンリセット時間（Ｔ２）及びウォッチドッグ監視時間（Ｔ３）の合計時間を終端呼出下り信号の時間幅（Ｔ１）以下で且つ感知器下り信号の最大時間幅（Ｔ０）よりも長くなるように設定する。
【００１２】
本発明の別の形態にあっては、受信機又は中継器の断線監視部は、感知器下り信号の最大時間幅（Ｔ０）よりも長い時間幅（Ｔ１）をもつ終端呼出下り信号を一定周期毎に送信し、
終端器の終端応答部は、
下り信号の電圧変化が所定の遅延時間（Ｔｄ）継続したときに所定の電圧を出力する遅延回路と、
遅延回路で遅延出力された電圧を受けて所定時間（Ｔ２）後に動作し、感知器回線の電流を変化させて終端応答上り信号を送信する終端応答出力回路と、
を設け、遅延時間（Ｔｄ）と所定時間（Ｔ２）の合計時間を終端呼出下り信号の時間幅（Ｔ１）よりも長くなるように設定し、終端応答上り信号を終端呼出下り信号が停止した状態で送信する。
【００１３】
または、受信機又は中継器の断線監視部は、感知器下り信号の最大時間幅（Ｔ０）よりも長い時間幅（Ｔ１）をもつ終端呼出下り信号を一定周期毎に送信し、
終端器の終端応答部は、
下り信号の電圧変化が所定の遅延時間（Ｔｄ）継続したときに所定の電圧を出力する遅延回路と、
遅延回路で遅延出力された電圧を受けて動作し、所定のパワーオンリセット時間（Ｔ２）後に所定のウォッチドッグ監視時間（Ｔ３）に亘りリセット信号を出力するウォッチドック回路と、
ウォッチドッグ回路のリセット信号により感知器回線の電流を変化させて終端応答上り信号を送信する終端応答出力回路と、
を設け、遅延時間（Ｔｄ）とパワーオンリセット時間（Ｔ２）の合計時間を終端呼出下り信号の時間幅（Ｔ１）よりも長くなるように設定し、終端応答上り信号を終端呼出下り信号が停止した状態で送信する。
【００１４】
更に、受信機又は中継器の断線監視部は、一定周期毎に送信されるコマンド信号に含まれるスタートパルス信号を前記終端呼出下り信号とし、
終端器の終端応答部は、受信機又は中継器から送信されたコマンド信号のスタートパルス信号により動作し、スタートパルス直後の空きタイミングで、終端応答上り信号を送信する。
【発明の効果】
【００１５】
本発明によれば、受信機又は中継器は、火災感知器に対する感知器下り信号とは別のタイミングで定期的に終端呼出下り信号を送信して終端器からの終端応答上り信号を受信しており、終端抵抗を接続した場合のように感知器回線に常に断線監視のための電流が流れていることはなく、火災感知器からの上り信号の電流は増やす必要がないため火災感知器の送信回路を簡略化でき、感知器回線での通信を正常に行いながら、システムの省電力化を図ることができる。
【００１６】
また受信機又は中継器から送信する終端呼出下り信号は、火災感知器へ送信する感知器下り信号に対し時間幅を相違させるか、又は、感知器下り信号が定常電圧に対し電圧を高くする電圧変化であるのに対し、終端呼出下り信号は逆の定常電圧に対し電圧を低くする電圧変化としており、感知器下り信号を変更することなく、これと識別可能な終端呼出下り信号を送信することができる。
【発明を実施するための最良の形態】
【００１７】
図１は本発明による火災報知設備の設備構成のブロック図であり、中継器と火災感知器に本発明が適用された場合を例にとっている。図１において、受信機１０から引き出された伝送線１８及び中継器制御線１９に対し複数の中継器１２が接続されており、中継器１２のそれぞれからは感知器回線２０が引き出され、感知器回線２０に複数の感知器１４を接続し、更に感知器回線２０の末端に終端器１６を接続している。
【００１８】
中継器１２は通常の監視状態で例えば正常監視コマンドを感知器回線２０に感知器下り信号として送出し、この正常監視コマンドに対し火災感知器１４にあっては応答上り信号を送信する。中継器１２から感知器回線２０に送信される感知器下り信号は感知器回線の電圧を変化させる所謂電圧モードの信号である。これに対し火災感知器１４から送信される感知器上り信号は感知器回線を流れる電流を変化させる所謂電流モードの信号である。
【００１９】
中継器１２には本発明により断線監視部としての機能が設けられ、例えば断線監視コマンドの直後のタイミングで感知器回線２０に終端呼出下り信号を送信し、この終端呼出下り信号に対する終端器１６からの応答信号を受信し、終端応答信号が得られた場合は正常、終端応答信号が得られない場合は断線と判断している。
【００２０】
終端器１６には本発明により終端応答部としての機能が設けられている。終端器１６に設けた終端応答部は中継器１２から送信された感知器下り信号では動作せず、終端呼出下り信号により動作して終端応答上り信号を送信する。
【００２１】
一方、火災感知器１４のいずれかで火災を検出すると、例えば感知器回線２０に対し火災割込信号を送信し、火災割込信号を中継器１２で受信すると、感知器アドレス検索コマンドを送信して発報した火災感知器の感知器アドレスを取得する。火災感知器による発報時の火災割込信号の送信は、例えば一定の時間間隔で３回連続して行われ、中継器１２にあっては２回の火災割込信号の受信による感知器アドレス検索コマンドの検索結果から２回一致した感知器アドレスが得られたら発報感知器を特定し、そして３回目の火災割込信号の受信で火災発報を確定し、受信機１０に対し火災検出を火災割込信号により通知し、火災警報を行わせる。
【００２２】
図２は図１における本発明による中継器１２の実施形態を示したブロック図である。図２において、中継器１２は伝送回路２２、中継器ＣＰＵ２４、電源部２６、電流検出回路２８、送信回路３０、応答信号検出回路３２、感知器障害検出回路３４を備えている。また中継器ＣＰＵ２４にはプログラム制御により実現される機能として中継処理部３５と断線監視部３６が設けられている。
【００２３】
中継器１２から引き出された感知器回線２０には複数の火災感知器１４が接続されており、感知器回線２０の末端には本発明による終端器１６が接続されている。終端器１６には終端応答部７６としての回路機能が設けられている。
【００２４】
中継器ＣＰＵ２４に設けた中継処理部３５は、図１に示した受信機１０から伝送線１８を介して一定時間間隔で送信される伝送同期コマンドを伝送回路２２を介して受信するごとに、送信回路３０を動作して正常監視コマンドを電圧変化による感知器下り信号として感知器回線２０に送信する。
【００２５】
正常監視コマンドに対し、火災感知器１４は応答上り信号を送信する。中継器１２からの感知器下り信号である正常監視コマンドに対し終端器１６に設けた終端応答部７６は動作せず、終端応答上り信号が送信されることはない。
【００２６】
中継器ＣＰＵ２４に設けた断線監視部３６は、中継処理部３５が正常監視コマンドを送信した直後のタイミングで終端呼出下り信号を送信する。終端呼出下り信号は、正常監視コマンドなどの感知器下り信号とは異なった下り信号として送信される。本発明にあっては、終端呼出下り信号として次の２つのいずれかを使用する。
（１）感知器下り信号を超える時間幅Ｔ１の電圧変化をもった終端呼出下り信号を送信する。
（２）感知器下り信号は定常電圧に対し高い電圧に変化させた信号であるが、これに対し終端呼出下り信号は、定常電圧に対し一定時間に亘り低い電圧に変化させた信号を送信する。
【００２７】
このため中継器１２から終端呼出下り信号として感知器下り信号と異なる時間幅の下り信号を送信した場合、終端器１６に設けた終端応答部７６は終端呼出下り信号の電圧変化の時間幅を判別して動作し、終端応答上り信号を送信することになる。
【００２８】
また終端呼出下り信号として定常電圧に対し低い値に変化させた電圧信号を送信した場合には、定常電圧に対し低下した電圧変化を終端器１６の終端応答部７６で判別して動作し、終端応答上り信号を送信することになる。
【００２９】
中継器ＣＰＵ２４の断線監視部３６は、終端呼下り信号に対する終端器１６から終端応答上り信号を受信した場合には感知器回線２０は正常と判断し、終端応答上り信号を受信しなかった場合には感知器回線２０は断線したものと判断し、断線障害を伝送回路２２を介して受信機１０に通報することになる。
【００３０】
また断線監視部３６による感知器回線２０の断線判断は連続して複数回、例えば連続して４回、終端応答上り信号が受信できなかった場合に感知器回線２０の断線を確定して、断線障害を受信機１０に通報することになる。
【００３１】
図３は図１における火災感知器１４の実施形態を示したブロック図である。火災感知器１４は中継器１２からコマンドを受信し、コマンド内容に応じたコマンド応答信号を送信する通信機能を備えている。
【００３２】
図３において、火災感知器１４は無極性・ノイズ吸収性回路３６、９Ｖ出力の定電圧回路３８、３Ｖ出力の定電圧回路４０、リセット監視回路４２、感知器ＣＰＵ４４、不揮発メモリであるＥＥＰＲＯＭ回路４６、パルス駆動回路４８、サーミスタなどの温度検出素子５０、温度検出回路５２、伝送信号検出回路５４、応答信号送出回路５６を備えている。
【００３３】
感知器ＣＰＵ４４に対して設けたＥＥＰＲＯＭ回路４６には感知器種別など火災感知器１４の処理に必要な各種の情報に加え、感知器アドレスが記憶されており、感知器回線２０の電源投入に伴うリセット監視回路４２による感知器ＣＰＵ４４のリセットスタートによる初期化処理でＥＥＰＲＯＭ回路４６より感知器アドレスを含む各種設定情報を内部のＲＯＭに展開し、感知器制御を行う。
【００３４】
中継器１２からの正常監視コマンド（感知器用下り信号）は伝送信号検出回路５４で検出され、感知器ＣＰＵ４４に入力され、コマンド内容を解読後、もし火災感知器１４に障害アドレス情報などの異常があれば応答信号送出回路５６を使用した電流変化によりコマンド応答上り信号を感知器回線２０に送信する。
【００３５】
パルス駆動回路４８は感知器ＣＰＵ４４からの一定時間間隔の駆動パルスを受けて温度検出素子５０であるサーミスタを駆動しており、検出タイミングごとに温度検出回路５２で温度を検出して感知器ＣＰＵ４４に読み込み、感知器ＣＰＵ４４で予め設定した火災温度を超えたことで火災発報を検出し、伝送信号検出回路５４を使用して火災割込信号を感知器回線２０に送信する。
【００３６】
この実施形態にあって感知器ＣＰＵ４４には火災発報を検出すると、例えば中継器１２からの正常監視コマンドの送信間隔内で連続して３回火災割込信号を送信する。例えば正常監視コマンドが９秒間隔で送信されていると、火災発報時に火災感知器１４は３秒間隔で連続して火災割込信号を送信する。
【００３７】
このような火災感知器１４からの火災割込信号につき１回目と２回目については、中継器１２は感知器番号検索コマンドを発行して感知器番号を取得し、３回目の火災割込信号の受信で感知器番号の検索結果が２回分一致したことを条件に火災を確定して受信機１０側に火災発生を通報する。
【００３８】
中継器１２で３回の火災割込信号について火災が確定されると中継器１２は発報表示灯制御コマンドを送信し、これを受けて火災感知器１４は感知器に設けている作動表示と（図示せず）を点灯する。中継器１２からの作動表示灯制御コマンドは、未発報の火災感知器については火災割込禁止コマンドとして機能し、同じ感知器回線に接続している他の火災感知器の第２報目以降の火災発報については火災割込信号を送出しないようにしている。
【００３９】
そのかわり中継器１２にあっては、第１報目で火災を確定すると、その後、火災割込信号と同じ間隔で連続して感知器アドレス検索コマンドを発行しており、したがって２報目の火災感知器が発報すると、感知器アドレス検索コマンドに対し感知器アドレス応答信号を送信することで、中継器１２側において２報目、さらに３報目といった同一感知器回線２０における火災発報を認識することができる。
【００４０】
尚、図３の火災感知器１４にあってはサーミスタなどの温度検出素子５０による熱感知器を例にとるものであったが、発光素子と受光素子を備えた散乱光式煙検出部を備えた煙感知器であってもよい。
【００４１】
図４は図２の中継器１２からの終端呼出下り信号と終端器１６間の終端応答上り信号のタイムチャートである。図４（Ａ）は図１の受信機１０から中継器１２に対し一定周期で送信される伝送同期コマンド５８であり、この伝送同期コマンド５８に基づき中継器１２は図４（Ｂ）のように電圧変化となる感知器下り信号として正常監視コマンド６０を送信している。
【００４２】
正常監視コマンド６０の送信に伴い、この実施形態にあっては正常監視コマンド６０の奇数タイミングでコマンド終了直後に終端呼出下り信号６２を送信している。終端呼出下り信号６２に対し、図４（Ｃ）のように、終端器１６からは感知器回線が正常であれば電流変化により終端応答上り信号６４が送信される。
【００４３】
図５は図２の中継器１２と火災感知器１４の間のコマンド送信の感知器下り信号と、コマンド応答の感知器上り信号のタイムチャートである。図５（Ａ）はコマンド送信の感知器下り信号であり、感知器回線の定常電圧を例えば１９Ｖとすると、１９Ｖから３１Ｖに変化させている。
【００４４】
電圧変化で行う感知器下り信号としてのコマンド信号は、スタートパルス６６、基準パルス６８、コマンド７０、コマンド７２で構成され、その後ろに感知器アドレスに対応したタイミングでコマンド応答上り信号を送信するための応答用パルス７４を設けている。この実施形態において、感知器回線に接続する火災感知器の最大数は例えば３８台であり、感知器台数に対応して応答用パルス７４を３８個送信している。なお、コマンド７０，７２は同じ内容であり、２連送することで信頼性を上げている。
【００４５】
火災感知器にあってはコマンド信号のコマンド７２に続く応答用パルス７４をカウントし、カウント値が予め設定した自己アドレスに一致すると、その直後の応答用パルス７４の空きタイミングで電流変化によるコマンド応答上り信号を送信する。図５（Ｂ）は感知器回線に接続している３８台の火災感知器１４が全てコマンド応答上り信号を送出した場合である。
【００４６】
このコマンド応答上り信号は、図５（Ｃ）のアドレス１〜３８の火災感知器１４に示すように、応答用パルス７４をカウントして各アドレスに一致するタイミングでそれぞれの火災感知器がコマンド応答上り信号７５−１〜７５−３８を送信しており、その合成信号が図５（Ｂ）のように上り信号として感知器回線に送信されることになる。
【００４７】
図５（Ａ）の感知器下り信号として使用するコマンドの電圧変化の時間幅、即ち電圧パルス幅は、先頭のスタートパルス６６が例えば３０ｍｓと最大であり、このため感知器下り信号の電圧変化の最大時間幅をＴ０とすると、これと区別するための終端呼出下り信号の電圧変化の時間幅Ｔ１は、最大時間幅Ｔ０より長い例えばＴ１＝５０ｍｓとすれば良い。
【００４８】
図６は本発明による終端器１６Ａの第１実施形態の回路図であり、終端器１６Ａは図２の中継器１２の断線監視部３６より図５（Ａ）に示した火災感知器１４に対する感知器下り信号であるコマンド信号とは異なる時間幅の電圧変化をもつ終端呼出下り信号を受信判別して動作することで、終端応答上り信号を送信する。
【００４９】
図６の終端器１６Ａは、ノイズ吸収回路８３、終端応答出力回路８４、遅延回路７８、定電圧回路８０及びウォッチドック回路８２を備える。ノイズ吸収回路８３はダイオードＤ１とツェナーダイオードＺＤ１を備える。
【００５０】
遅延回路７８はトランジスタＱ１，Ｑ２、抵抗Ｒ１〜Ｒ４、コンデンサＣ１及びツェナーダイオードＺＤ２を備える。遅延回路７８は感知器回線２０の電圧が定常時の１９Ｖから３１Ｖに上昇して終端呼出下り信号が受信されると、ツェナーダイオードＺＤ２が導通し、抵抗Ｒ１を介してコンデンサＣ１を充電し、予め設定した遅延時間Ｔｄ後にコンデンサＣ１の充電電圧によりトランジスタＱ１がオンし、これによるベース電流の引き込みでトランジスタＱ２をオンして、遅延出力を定電圧回路８０に出力する。この遅延回路７８は遅延時間Ｔｄ以下の回線電圧をノイズとして除去する。
【００５１】
定電圧回路８０は抵抗Ｒ５，Ｒ６、コンデンサＣ２、ツェナーダイオードＺＤ３及びトランジスタＱ３で構成され、遅延回路７８のトランジスタＱ２のオンにより遅延出力、すなわち感知器回線２０からの３１Ｖの電圧が得られると、トランジスタＱ３をオンし、ウォッチドック回路８２の電源端子Ｖｃｃに定電圧を供給して起動させる。
【００５２】
ウォッチドック回路８２はコンデンサＣ３によりパワーオンリセット時間Ｔ２が設定され、コンデンサＣ４によりウォッチドック監視時間Ｔ３が設定されている。ウォッチドック回路８２が定電圧回路８０からの電源供給で起動すると、コンデンサＣ３で決まるパワーオンリセット時間Ｔ２を経過した時点で、リセット端子ＲＥＳＥＴにリセット信号を出力し、このリセット信号はコンデンサＣ４で決まるウォッチドック監視時間Ｔ２の間出力される。
【００５３】
中継器１２から送信されるＴ１時間の電圧変化の時間幅をもつ終端呼出下り信号を識別して終端応答下り信号を出力するためには、遅延時間（Ｔｄ）、パワーオンリセット時間（Ｔ２）及びウォッチドッグ監視時間（Ｔ３）の合計時間（Ｔｄ＋Ｔ２＋Ｔ３）を終端呼出下り信号の時間幅（Ｔ１）以下とし、且つ、感知器下り信号の電圧変化の最大時間幅Ｔ０を超えるように次の関係に設定する。
【００５４】
Ｔ１＞（Ｔｄ＋Ｔ２＋Ｔ３）＞Ｔ０
ウォッチドック回路８２からのリセット信号は終端応答出力回路８４の抵抗Ｒ７を介してトランジスタＱ４をオンし、抵抗Ｒ８の抵抗値で決まる電流を感知器回線２０に流すことで終端応答上り信号を送信する。
【００５５】
図７は図６の終端器１６Ａの動作を示したタイムチャートである。図７（Ａ）は感知器回線２０に中継器１２から送信された終端呼出下り信号６２であり、定常状態の１９Ｖから３１Ｖに変化させている。この終端呼出下り信号６２の時間幅Ｔ１は図５（Ａ）に示した火災感知器１４に対するコマンド信号における最大の時間幅Ｔ０＝３０ｍｓと区別できるように、より長い時間幅、例えばＴ１＝５０ｍｓを設定している。
【００５６】
終端呼出下り信号６２を受信した終端器１６Ａは図７（Ｂ）のように時刻Ｔ１の終端呼出下り信号６２の立ち上がりから予め設定した遅延時間Ｔｄ後に、遅延回路７８のトランジスタＱ１，Ｑ２のオンにより遅延出力を生ずる。この遅延出力により定電圧回路８０が動作し、ウォッチドック回路８２に電源電圧が供給されて時刻ｔ２でウォッチドック回路８２が動作を開始する。
【００５７】
ウォッチドック回路８２は図７（Ｃ）のように時刻ｔ２からコンデンサＣ３で決まるパワーオンリセット時間Ｔ２、例えばＴ２＝２６ｍｓを経過すると、図７（Ｄ）のように時刻ｔ３でリセット端子にリセット信号が出力され、このリセット信号はコンデンサＣ４で決まるウォッチドック時間Ｔ３、例えばＴ３＝３．３ｍｓのあいだ出力され、図７（Ｅ）のように、トランジスタＱ４のオンにより感知器回線２０に抵抗Ｒ８で決まる電流を流し、電流変化と終端応答上り信号６４を送信する。
【００５８】
一方、感知器下り信号として図５（Ａ）のコマンド信号を受信した場合、コマンド信号の電圧変化の時間幅は、最大でもＴ０＝３０ｍｓであるため、図７（Ｃ）のパワーオンリセット動作中に、電圧が３１Ｖから１９Ｖに戻ってウォッチドッグ回路８２の動作が停止し、終端応答上り信号が送信されることはない。
【００５９】
図８は図２の中継器１２における中継器処理のフローチャートである。図８において、中継器処理はステップＳ１で電源投入に伴う初期化処理を行った後、ステップＳ２で火災割込信号の受信の有無をチェックしており、いずれかの火災感知器で火災発報が行われて火災割込信号が送信されるとこれを受信し、ステップＳ３で発報アドレス検索処理として発報アドレス検索コマンドを送信し、発報した火災感知器のアドレスを取得する。
【００６０】
続いてステップＳ４で同一アドレスの火災割込信号のＮ回受信の有無をチェックしており、例えばＮ＝３回受信を判別するとステップＳ５で火災を確定し、受信機１０に対し火災割込信号を送信して火災警報を行わせる。火災発報中はステップＳ６で受信機からの復旧コマンドの受信をチェックしており、復旧コマンドを受信するとステップＳ７で感知器回線に対する電源供給を遮断した後に復旧させる復旧制御を行う。
【００６１】
続いてステップＳ８で受信機１０からの伝送同期コマンドを受信すると、ステップＳ９で正常監視処理として正常監視コマンドを送信し、正常監視処理の奇数タイミングについてはステップＳ１０で断線監視コマンドを送信して終端器１６から断線応答信号を受信する断線監視処理を行う。このようなステップＳ２〜Ｓ１０の処理をステップＳ１１で停止指示があるまで繰り返す。
【００６２】
尚、ステップＳ５で火災を確定した際には、発報表示灯制御コマンドを送信して発報感知器に作動表示灯を点灯させて、この状態で繰り返し発報アドレス検索コマンドを送信して、２報目以降の発報を識別するようにしているが、この点にあってはフローチャートでは省略している。
【００６３】
図９は図８のステップＳ１０における断線監視処理のフローチャートである。図９において、断線監視処理はステップＳ１で終端呼出タイミングか否かチェックし、終端呼出タイミングであった場合にはステップＳ２で終端呼出下り信号を出力し、ステップＳ３で終端応答上り信号の受信の有無をチェックし、終端応答信号を受信した際にはステップＳ４で感知器回線は正常と判断する。
【００６４】
ステップＳ３で終端応答上り信号を受信しなかった場合にはステップＳ５に進み、所定のリトライ回数に到達したか否かチェックし、リトライ回数に達するまでステップＳ２からの終端呼出下り信号の出力と終端応答上り信号の受信を繰り返す。リトライ回数分、終端応答上り信号の受信がなかった場合にはステップＳ６に進み、感知器回線の断線を確定して受信機１０に対し感知器回線の障害通報を行う。
【００６５】
図１０は図３の火災感知器における感知器処理のフローチャートである。図１０において、感知器処理はステップＳ１で感知器回線の電源投入に伴う初期化処理を行った後、ステップＳ２で火災検出の有無をチェックしており、火災検出があるとステップＳ３で火災割込信号を出力する。続いてステップＳ４で中継器からの発報アドレス検索コマンドの受信の有無をチェックしており、このコマンドを受信するとステップＳ５で応答用パルスの自己アドレスのタイミングで検索応答信号を出力する。
【００６６】
続いてステップＳ６で火災割込信号をＮ回、例えばＮ＝３回出力したか否かチェックし、３回出力するまでステップＳ２からの処理を繰り返す。火災割込信号のＮ回の出力が済むとステップＳ７で発報表示灯の点灯制御を中継器１２からの発報制御コマンドの受信に基づいて行う。
【００６７】
続いてステップＳ８で正常監視コマンドの受信の有無をチェックしており、正常監視コマンドの受信を判別するとステップＳ９で感知器障害の有無をチェックし、もし感知器障害があればステップＳ１０で応答用パルスの自己アドレスのタイミングで障害応答信号を出力する。このようなステップＳ２〜Ｓ１０の処理をステップＳ１１で停止指示があるまで繰り返す。尚、ステップＳ１１の停止指示は感知器回線における電源遮断による状態である。
【００６８】
図１１は、本発明による終端器の第２実施形態の回路図であり、この実施形態にあっては、中継器１２からの終端呼出下り信号を判別して動作し、終端呼出下り信号が停止した後のタイミングで終端応答上り信号を送信するようにしたことを特徴とする。
【００６９】
図１１において、終端器１６Ａの回路構成及び動作は、基本的に図６の第１実施形態と同じであり、ノイズ吸収回路８３、終端応答出力回路８４、遅延回路７８、定電圧回路８０及びウォッチドック回路８２を備えているが、更に、定電圧回路８０に、感知器回線２０から３１Ｖの終端呼出下り信号の信号電圧が得られなくなった場合にもウォッチドック回路８２に電源電圧を供給して動作を継続させるため、電源バックアップ用のコンデンサＣ５を新たに追加している。
【００７０】
中継器１２から送信されるＴ１時間の電圧変化の時間幅をもつ終端呼出下り信号を識別し、終端呼出下り信号が停止した後のタイミングで終端応答下り信号を出力するためには、遅延回路７８の遅延時間（Ｔｄ）とウォッチドック回路８２のパワーオンリセット時間（Ｔ２）
との間に、
Ｔ１＜（Ｔｄ＋Ｔ２）
となる関係を設定している。
【００７１】
そしてウォッチドック回路８２はパワーオンリセット時間（Ｔ２）が経過した直後の終端呼出下り信号が停止しているタイミングで、ウォッチドックリセット信号がＴ３時間に亘り出力し、終端応答出力回路８４のトランジスタＱ４をオンし、抵抗Ｒ８の抵抗値で決まる電流を感知器回線２０に流すことで終端応答上り信号を送信する。
【００７２】
図１２は図１１の終端器１６Ａの動作を示したタイムチャートである。図１２（Ａ）は感知器回線２０に中継器１２から送信された終端呼出下り信号６２であり、定常状態の１９Ｖから３１Ｖに変化させている。
【００７３】
終端呼出下り信号６２を受信した終端器１６Ａは、図１２（Ｂ）のように、時刻ｔ１の終端呼出下り信号６２の立ち上がりから予め設定した遅延時間Ｔｄ後に、遅延回路７８のトランジスタＱ１，Ｑ２のオンにより遅延出力を生ずる。この遅延出力により定電圧回路８０が動作し、ウォッチドック回路８２に電源電圧が供給されて時刻ｔ２でウォッチドック回路８２が動作を開始する。
【００７４】
ウォッチドック回路８２は図１２（Ｃ）のように時刻ｔ２からコンデンサＣ３で決まるパワーオンリセット時間Ｔ２を経過すると、図１２（Ｄ）のように時刻ｔ４でリセット端子にリセット信号を出力し、このリセット信号はコンデンサＣ４で決まるウォッチドック時間Ｔ３、例えばＴ３＝３．３ｍｓのあいだ出力され、図１２（Ｅ）のように、トランジスタＱ４のオンにより感知器回線２０に抵抗Ｒ８で決まる電流を流し、電流変化と終端応答上り信号６４を送信する。
【００７５】
ここで、図１２（Ａ）の終端呼出下り信号６２は、パワーオンリセット動作が終了する時刻ｔ４以前の時刻ｔ３で停止しており、このため終端応答上り信号は、終端呼出下り信号６２が停止した回線電圧が１９Ｖの状態で送信される。
【００７６】
このように線路電圧が１９Ｖという低い電圧状態で終端応答上り信号の電流を流すことで、中継器１２における上り信号、即ち電流信号を電圧変換して判別する際のＳＮ比を、図６の終端応答呼出下り信号が出力されている３１Ｖの回線電圧の状態で送信する場合に比べ高めることができる。換言すると、同じＳＮ比であれば、１９Ｖの低い回線電圧状態での送信の方が電流を少なくすることができる。
【００７７】
また時刻ｔ３で３１Ｖの終端呼出下り信号６２が停止して回線電圧が１９Ｖに戻った後もウォッチドック回路８２が動作できるよう、コンデンサＣ５による電源バックアップが時刻ｔ６まで行われる。
【００７８】
図１３は図２の中継器１２に設けた断線監視部３７の他の実施形態による終端呼出下り信号と、これに対する終端器からの終端応答上り信号のタイムチャートである。
【００７９】
この実施形態は、図１３（Ａ）の受信機からの伝送同期コマンドに同期して中継器１２から周期的で送信している図１３（Ｂ）の正常監視コマンド６０に含まれるスタータパルスを終端呼出下り信号として兼用し、スタートパルスに対し終端器が動作し、図１３（Ｃ）のように、スタートパルス直後の空きタイミングで終端応答上り信号を送信するようにしたこを特徴とする。
【００８０】
図１４は図１３のコマンド詳細とスタートパルスに対する終端器からの終端応答上り信号のタイムチャートである。図１４（Ａ）は正常監視コマンドの詳細であり、コマンドの先頭位置にスタートパルス６６が配置され、スタートパルス６６が同時に終端呼出下り信号として機能し、スタートパルス６６の終端から基準パルス６８の開始位置までの空き時間タイミングで、図１３（Ｂ）のように、終端器からの電流による終端応答上り信号が送信されている。
【００８１】
このように中継器１２から送信されるコマンドのスタートパルスを終端呼出下り信号として動作する終端器としては、図１１の実施形態に示した終端器１６Ａを使用する。ここでコマンドのスタートパルスは３０ｍｓのパルス幅であり、このため図１２（Ａ）の終端呼出下り信号６２の時間Ｔ１はＴ１＝３０msとなり、これに対応して遅延時間ＴｄはＴｄ＝７．５ｍｓ、またパワーオンリセット時間Ｔ２はＴ２＝２２．５ｍｓに設定すればよい。
【００８２】
このように中継器１２から定期的に送信するコマンドのスタートパルスを終端呼出下り信号として兼用することで、中継器１２の構成及び動作を簡単にすることができる。
【００８３】
図１５は本発明による終端器の第３実施形態に回路図であり、この第３実施形態にあっては図２の中継器から終端呼出下り信号として定常電圧より低い値の電圧変化をもつ下り信号として送出して、これを判別して終端応答上り信号を送信するようにしたことを特徴とする。
【００８４】
図１５において、終端器１６Ｂは、ノイズ吸収回路８５、終端応答出力回路８８及び電圧低下判別回路８６で構成される。ノイズ吸収回路８５はダイオードＤ１１とツェナーダイオードＺＤ１１を備え、感知器回線に加わるツェナーダイオードＺＤ１１以上のノイズ電圧を吸収する。
【００８５】
電圧低下判別回路８６はツェナーダイオードＺＤ１２、抵抗Ｒ１１，Ｒ１２及びトランジスタＱ１０で構成される。ツェナーダイオードＺＤ１２は感知器回線２０の定常電圧１９Ｖで導通し、終端呼出下り信号による電圧低下で例えば１５Ｖに低下するとオフとなる。このため通常時はツェナーダイオードＺＤ１２が導通して、抵抗Ｒ１２を介してトランジスタＱ１１をオンしているが、感知器回線２０の電圧を定常状態の１９Ｖから１５Ｖに低下させる終端呼出下り信号の送信が行われると、ツェナーダイオードＺＤ１２がオフし、トランジスタＱ１０をオフする。
【００８６】
終端応答出力回路８８は抵抗Ｒ１３〜Ｒ１５、トランジスタＱ１１，Ｑ１２で構成される。通常時は電圧検出回路８６のトランジスタＱ１０はオンしていることから、トランジスタＱ１１のベースを引き込むことでオフし、これに伴いトランジスタＱ１２もオフしており、感知器回線２０に対する電流変化による終端応答上り信号の送信は行われない。
【００８７】
感知器回線２０の電圧が通常時の１９Ｖから１５Ｖに低下した終端呼出下り信号の受信時には、電圧検出回路８６のトランジスタＱ１０がオフとなることで、トランジスタＱ１１，Ｑ１２がオンし、抵抗Ｒ１５の抵抗値で定まる電流を感知器回線２０に流すことで終端応答上り信号を送信する。
【００８８】
図１６は図１５の終端器１６Ｂの動作を示したタイムチャートである。図１６（Ａ）は感知器回線の下り信号であり、例えば火災感知器１４に対するコマンド信号の最後の応答用パルス７４の直後のタイミングで終端呼出下り信号９０を送信する。終端呼出下り信号９０は通常時の１９Ｖに対し、それより低い１５Ｖに電圧を低下させた信号である。電圧低下を伴う終端呼出下り信号９０は例えば一定時間Ｔ４にあたり出力される。
【００８９】
終端呼出下り信号９０は図１５の終端器１６Ｂで受信され、図１６（Ｂ）のように、電圧低下判定回路８６による電圧低下の判定で終端応答出力回路８８が動作し、Ｔ４時間にわたり、例えば感知器回線の電流を１２ｍＡだけ増加させた終端応答上り信号を送信することになる。
【００９０】
図１７は受信機と火災感知器で構成される火災報知設備に本発明を適用した設備構成のブロック図である。図１６の実施形態にあっては、受信機１１から引き出された感知器回線２０に火災感知器１４を接続し、感知器回線２０の末端に終端器１６を接続している。受信機１１は一定周期で例えば正常監視コマンドを感知器１４に電圧変化による感知器下り信号として送信し、これに対し火災感知器１４は応答上り信号を電流変化により感知器回線２０に送信する通信機能を備えている。
【００９１】
図１８は図１７における本発明の受信機の実施形態を示したブロック図である。図１８において、受信機１１には受信機ＣＰＵ９４が設けられ、火災監視部１０６と本発明による断線監視部３８の機能が設けられている。受信機１１に設けた電流検出回路２８、送信回路３０、応答信号検出回路３２、感知器障害検出回路３４は、図２の中継器１２の場合と同じである。
【００９２】
また受信機１１の固有の構成として、電源部９６、表示部９８、操作部１００、音響警報部１０２及び移報部１０４が設けられている。受信機１１から引き出された感知器回線２０には火災感知器１４が接続される。火災感知器１４は図３に示した構成を備える。
【００９３】
感知器回線２０の末端には終端器１６が接続され、終端器１６には終端応答部７６が設けられている。この終端器１６は図６の第１実施形態の終端器１６Ａ、図１１の第２実施形態の終端器１６Ａ又は図１５の第３実施形態の終端器１６Ａのいずれかを使用する。
【００９４】
もちろん受信機１１の断線監視部３８より送信する終端呼出下り信号は、終端器１６Ａの場合にはＴ１の時間幅を持つ終端呼出下り信号であり、終端器１６Ｂの場合には通常時の電圧１９Ｖに対し、それより低い１５Ｖに低下させる終端呼出下り信号とする。
【００９５】
図１９は図１８の受信機１１における受信機処理のフローチャートである。図１９において、受信機処理はステップＳ１で電源投入に伴う初期化処理を行った後、ステップＳ２で火災割込信号の受信の有無をチェックしており、火災割込信号を受信するとステップＳ３で発報アドレス検索処理として発報アドレス検索コマンドを発行して、発報した感知器アドレスを取得し、ステップＳ４で同一アドレスの火災割込信号をＮ回、例えば３回受信するまでステップＳ２からの処理を繰り返す。
【００９６】
火災割込信号を３回受信するとステップＳ５で火災を確定して、火災警報を出力する火災警報処理を行う。続いてステップＳ６で復旧指示の有無をチェックしており、復旧指示があればステップＳ７で感知器回線に対する電源供給を一旦遮断して復旧させる復旧制御を行う。
【００９７】
続いてステップＳ８で例えば一定周期ごとに正常監視コマンドを送信する正常監視処理を行っている。またステップＳ９で正常監視コマンドの直後の１つおきのタイミングで断線監視のために終端呼出下り信号を送信し、終端器１６からの終端応答上り信号を受信すれば感知器回線は正常と判断し、終端応答上り信号を受信できない場合には感知器回線の断線と判断する断線監視処理を行っている。このステップＳ９の断線監視処理の詳細は図９の中継器の場合と基本的に同じになる。このようなステップＳ２〜Ｓ９の処理をステップＳ１０で停止指示があるまで繰り返す。
【００９８】
またステップＳ５で火災を確定した場合には、中継器１２の場合と同様、発報表示灯制御コマンドを発行して発報感知器の作動表示灯を点灯させる。そのかわりに一定時間間隔で発報アドレス検索コマンドを繰り返し発行し、２報目以降の火災感知器発報に対しては発報した火災感知器からアドレス応答上り信号を出力させることで２報目以降の発報感知器のアドレスを表示し、２報目、３報目と後続させる感知器発報を警報表示することができる。
【００９９】
尚、上記の実施形態は受信機または中継器から送信したコマンドに応答用パルスを含め、応答用パルスを火災感知器でカウントし、自己アドレスにしたときのタイミングでコマンド応答信号を出力する、いわゆるカウントアドレス方式を例にとっているが、本発明はこれに限定されず、中継器または受信機からアドレス及びコマンドを含むコマンド信号を送信し、火災感知器は自己アドレスを判別したときにコマンドに対応したコマンド応答信号を送信する通常のアドレス方式についてもそのまま適用することができる。
【０１００】
また本発明による終端器としては受信機または中継器から送信する終端呼出下り信号が通常の火災感知器に対する感知器下り信号と区別できる信号であれば適宜の信号形式とすることができる。
【０１０１】
また本発明はその目的と利点を損なうことのない適宜の変形を含み、さらに上記の実施形態に示した数値による限定は受けない。
【図面の簡単な説明】
【０１０２】
【図１】中継器と火災感知器による本発明の火災報知設備の構成を示したブロック図
【図２】図１における本発明による中継器の実施形態を示したブロック図
【図３】図１における火災感知器の実施形態を示したブロック図
【図４】図２の中継器からの終端呼出下り信号と終端器からの終端応答上り信号のタイムチャート
【図５】図２の中継器と火災感知器の間のコマンド送信の下り信号とコマンド応答の上り信号のタイムチャート
【図６】本発明による終端器の第１実施形態の回路図
【図７】図６の終端器の動作を示したタイムチャート
【図８】図２の中継器における中継器処理のフローチャート
【図９】図８のステップＳ３における断線監視処理のフローチャート
【図１０】図３の火災感知器における感知器処理のフローチャート
【図１１】本発明による終端器の第２実施形態の回路図
【図１２】図１１の終端器の動作を示したタイムチャート
【図１３】本発明の中継器の他の実施形態によるコマンドのスタートパルスを終端呼出下り信号とした場合の終端器からの終端応答上り信号のタイムチャート
【図１４】図１３のコマンド詳細とスタートパルスに対する終端器からの終端応答上り信号のタイムチャート
【図１５】本発明による終端器の第３実施形態の回路図
【図１６】図１５の終端器の動作を示したタイムチャート
【図１７】受信機と火災感知器による本発明の火災報知設備を示したブロック図
【図１８】図１７における本発明の受信機の実施形態を示したブロック図
【図１９】図１７の受信機における受信機処理のフローチャート
【符号の説明】
【０１０３】
１０，１１：受信機
１２：中継器
１４：火災感知器
１６，１６Ａ，１６Ｂ：終端器
１８：伝送線
１９：中継器制御線
２０：感知器回線
２２：伝送回路
２４：中継器ＣＰＵ
２６：電源部
２８：電流検出回路
３０：送信回路
３２：応答信号検出回路
３４：感知器障害検出回路
３５：中継処理部
３６：断線監視部
３７：無極性・ノイズ吸収回路
３８，４０：定電圧回路
４２：リセット監視回路
４４：感知器ＣＰＵ
４６：ＥＥＰＲＯＭ回路
４８：パルス駆動回路
５０：温度検出素子
５２：温度検出回路
５４：伝送信号検出回路
５６：応答信号送出回路
５８：伝送同期コマンド
６０：正常監視コマンド
６２，９０：終端呼出下り信号
６４，９２：終端応答上り信号
６６：スタートパルス
６８：基準パルス
７０，７２：コマンド
７４：応答用パルス
７５−１〜７５−３８：コマンド応答上り信号
７６：終端応答部
７８：遅延回路
８０：定電圧回路
８２：ウォッチドッグ回路
８３，８５：ノイズ吸収回路
８４：終端応答出力回路
８６：電圧低下判定回路
８８：終端応答出力回路
９４：受信機ＣＰＵ
９８：表示部
１００：操作部
１０２：音響警報部
１０４：移報部
【図１】
0004782517.tif 000002
【図２】
0004782517.tif 000003
【図３】
0004782517.tif 000004
【図４】
0004782517.tif 000005
【図５】
0004782517.tif 000006
【図６】
0004782517.tif 000007
【図７】
0004782517.tif 000008
【図８】
0004782517.tif 000009
【図９】
0004782517.tif 000010
【図１０】
0004782517.tif 000011
【図１１】
0004782517.tif 000012
【図１２】
0004782517.tif 000013
【図１３】
0004782517.tif 000014
【図１４】
0004782517.tif 000015
【図１５】
0004782517.tif 000016
【図１６】
0004782517.tif 000017
【図１７】
0004782517.tif 000018
【図１８】
0004782517.tif 000019
【図１９】
0004782517.tif 000020